(57)【要約】【課題】閲覧、管理などのために新たな設備を必要としない、紙媒体に記録された操作マニュアルであって、熟練した技術を持ち合わせていない作業員によっても、容易に利用されうる操作マニュアルを提供すること。【解決手段】発電プラントにおいて用いられる、前記発電プラントの複数の操作指示が記載された操作マニュアルであって、前記操作マニュアルは複数枚の手順書を綴ってなるものであり、各手順書の中央には、前記発電プラントの操作の対象となる装置の系統図が表示され、各手順書の中央以外の部分には、前記操作指示を各手順書に対応する群に分割し、各群の操作指示が記載されていることを特徴とする発電プラントの操作マニュアル。【選択図】図１
2009005424.tif 000002
【特許請求の範囲】
【請求項１】
発電プラントにおいて用いられる、前記発電プラントの複数の操作指示が記載された操作マニュアルであって、
前記操作マニュアルは複数枚の手順書を綴ってなるものであり、
各手順書の中央には、前記発電プラントの操作の対象となる装置の系統図が表示され、
各手順書の中央以外の部分には、前記操作指示を各手順書に対応する群に分割し、各群の操作指示が記載されていることを特徴とする発電プラントの操作マニュアル。
【請求項２】
前記手順書において、前記操作指示が前記系統図の周辺に配置され、
前記操作指示に操作順序を示す番号が付され、
前記操作指示の対象となる前記系統図の構成要素と、対応する当該操作指示とを引き出し線を用いて連結することを特徴とする、請求項１に記載の発電プラントの操作マニュアル。
【請求項３】
前記構成要素を強調表示することを特徴とする、請求項２に記載の発電プラントの操作マニュアル。
【請求項４】
前記手順書のうち第一の手順書において、前記第一の手順書に表示される一の操作指示に続く操作指示の前記番号であって、前記手順書のうち第二の手順書に表示される操作指示に係る前記番号を表示し、
前記手順書のうち前記第二の手順書の直前に綴られる第三の手順書に、前記第一の手順書と前記第三の手順書を同時に捲るための、スキップ手段を備えることを特徴とする、請求項２又は３に記載の発電プラントの操作マニュアル。
【発明の詳細な説明】
【技術分野】
【０００１】
本発明は、特に発電プラントなどに用いられる操作マニュアルに関する。
【背景技術】
【０００２】
従来より、発電プラントにおいては、各種設備を運転するために、各種機器の多段階にわたる複雑な操作が必要であり、そのような操作について記載した多種多様な操作マニュアルが存在していた。これらの操作マニュアルを使用した各種機器の操作には、熟練した技術が求められ、そのような熟練した技術をもち合わせていないものにとっては、操作マニュアルに従った各種機器の操作でさえ、困難である場合があった。
【０００３】
一方、発電プラントは昼夜を問わずに、運転する必要があり、特に夜間などにおいては、常に熟練した技術を持ち合わせた作業員が居合わせるとは限らない。また、緊急事態などにおいては、問題となる設備の運転を主な担当とされていない作業員が、一時的に当該設備の操作に当たる場合もある。このため、発電所に備えられる操作マニュアルは、熟練した技術を持ち合わせていない作業員にもわかりやすく表示される必要があった。
【０００４】
更に、発電プラントは、高度な安全性を要する設備であるため、どのような状況においても、誤操作などを防止する必要がある。
【０００５】
このような問題を解決するため、例えば特許文献１には、情報処理端末を用いて各種管理制御処理を行う多機能システムの操作方法や取り扱い方法を示す電子マニュアルを記憶し、この電子マニュアルを必要に応じて参照出力する電子マニュアルシステムにおいて、多機能システムで認証されたオペレータの多機能システムでの各種機能操作に対する個別の操作アクセスレベルを電子マニュアルへの参照アクセスレベルとして登録するアクセスレベルの同期手段と、このアクセスレベル同期手段により登録された電子マニュアルへの参照アクセスレベルに基づき、各種機能操作ごとにオペレータによる電子マニュアルへの参照可否を判断する管理手段とを備えることを特徴とする電子マニュアルシステムが開示されている。
【０００６】
特許文献１に記載の発明によれば、多機能システムで認証されたオペレータの多機能システムでの各種機能操作に対する個別の操作アクセスレベルを電子マニュアルへの参照アクセスレベルとして登録し、その参照アクセスレベルで許可された範囲で、電子マニュアルの参照可否判断を行うようにしたので、オペレータが利用できないような高度な管理制御機能についての電子マニュアルが表示されなくなり、その内容が不馴れなオペレータによる不用意な操作を低減できるとされる。
【特許文献１】特開２００１−０２２７００号公報
【発明の開示】
【発明が解決しようとする課題】
【０００７】
しかしながら、特許文献１に記載の発明は、電子マニュアルに係るものであり、紙媒体に記載された操作マニュアルに係るものではない。このため、操作マニュアルの閲覧、管理のために、新たな設備が必要となるものである。また、特許文献１に記載の発明は、不馴れな作業員がその操作を行うことを排除することを目的とするものであり、熟練した技術を持ち合わせていない作業員に対しても、判りやすい操作マニュアルを提供することを目的とするものではない。
【０００８】
本発明は、以上のような課題に鑑みてなされたものであり、閲覧、管理などのために新たな設備を必要としない、紙媒体に記録された操作マニュアルであって、熟練した技術を持ち合わせていない作業員によっても、容易に利用されうる操作マニュアルを提供することを目的とする。
【課題を解決するための手段】
【０００９】
本発明者らは、複数枚の手順書を綴ってなる操作マニュアルにおいて、各手順書の中央に、発電プラントの操作の対象となる装置の系統図を表示し、各手順書の中央以外の部分には、一群の操作指示を記載した手順書を作成したところ、熟練した技術を持ち合わせていない作業員にも容易に理解できることを見出し、本発明を完成するに至った。
【００１０】
（１）  発電プラントにおいて用いられる、前記発電プラントの複数の操作指示が記載された操作マニュアルであって、前記操作マニュアルは複数枚の手順書を綴ってなるものであり、各手順書の中央には、前記発電プラントの操作の対象となる装置の系統図が表示され、各手順書の中央以外の部分には、前記操作指示を各手順書に対応する群に分割し、各群の操作指示が記載されていることを特徴とする発電プラントの操作マニュアル。
【００１１】
（１）に記載の発明によれば、操作マニュアルが複数枚の手順書を綴ってなるものであって、操作指示が各手順書に分割して記載されているため、一枚の手順書に記載される操作指示の数が低減し、手順書に記載の操作指示が見やすくなるため、一部の操作指示を見落とすなどの事故を未然に防止することができる。また、各手順書には、中央に操作の対象となる装置の系統図が示されているため、手順書に記載の操作指示を具体的に想起することができ、操作指示に従った操作を誤る危険性が低下する。
【００１２】
（２）  前記手順書において、前記操作指示が前記系統図の周辺に配置され、前記操作指示に操作順序を示す番号が付され、前記操作指示の対象となる前記系統図の構成要素と、対応する当該操作指示とを引き出し線を用いて連結することを特徴とする、（１）に記載の発電プラントの操作マニュアル。
【００１３】
（２）に記載の発明によれば、操作指示の対象となる系統図の構成要素と、対応する操作指示とを引き出し線を用いて連結しているため、発電プラントにおいて、操作の対象となる機器を、手順書の上で具体的に特定しやすくなり、更に、具体的な操作の想起も容易となるため、誤操作を防止することができる。また、各手順書において、各操作指示を系統図の構成要素に対応させて配置しているものの、各操作指示に操作順序を示す番号が付されているため、操作の順序が判らなくなることがない。
【００１４】
（３）  前記構成要素を強調表示することを特徴とする、（２）に記載の発電プラントの操作マニュアル。
【００１５】
（３）に記載の発明によれば、各手順書において、操作指示の対象となる各構成要素を強調表示しているので、各手順書を一見するだけで、操作を行うべき機器を特定することができ、操作の効率を上げることができる。また、各構成要素が強調表示されているため、操作の対象となる機器を誤ることによる誤操作を防止することができる。
【００１６】
（４）  前記手順書のうち第一の手順書において、前記第一の手順書に表示される一の操作指示に続く操作指示の前記番号であって、前記手順書のうち第二の手順書に表示される操作指示に係る前記番号を表示し、前記手順書のうち前記第二の手順書の直前に綴られる第三の手順書に、前記第一の手順書と前記第三の手順書を同時に捲るための、スキップ手段を備えることを特徴とする、（２）又は（３）に記載の発電プラントの操作マニュアル。
【００１７】
発電プラントにおいては、各種装置の運転状況に応じて各種機器に異なる操作を行うことが求められることがあり、発電プラントの操作マニュアルにおいては、このような、状況に応じた操作指示の変更なども、判りやすく表示する必要がある。（４）に記載の発明は、各状況に応じた操作指示を、異なる手順書に記載し、第一の手順書において第一の手順書に記載される一の操作指示に続く操作指示を、迅速に閲覧できるようにするためのスキップ手段を備えるものである。即ち、一の操作指示に従って操作を行った後、第一の手順書と第三の手順書を同時に捲るためのスキップ手段を実行し、第二の手順書を閲覧して、第二の手順書に記載されている、一の操作指示に続く操作指示を実行することにより、各状況に応じた操作指示の変更を、作業員に判りやすく表示するものである。
【発明の効果】
【００１８】
本発明の操作マニュアルは紙媒体の操作マニュアルであるので、閲覧、管理などのために新たな設備を必要としない。また、操作マニュアルが複数枚の手順書を綴ってなるものであり、各手順書には操作の対象となる装置の系統図が表示されて、必要に応じて、各操作指示と、各操作の対象となる構成要素とを引き出し線で連結するため、熟練した技術を持ち合わせていない作業員にとっても操作指示を容易に理解することができ、誤操作を防止することができる。
【発明を実施するための最良の形態】
【００１９】
以下、本発明の実施形態について図面を参照しながら説明する。
【００２０】
＜発電プラントの操作マニュアル＞
本実施形態に係る発電プラントの操作マニュアルは、発電プラントにおいて用いられる、発電プラントの複数の操作指示が記載された操作マニュアルであって、図１から図３に示すような複数枚の手順書を綴ってなるものである。
【００２１】
［手順書］
発電プラントの操作マニュアルを構成する手順書は、紙媒体の手順書であって、図１に示すように、各手順書の中央には、前記発電プラントの操作の対象となる装置の系統図が表示され、各手順書の中央以外の部分には、前記操作指示を各手順書に対応する群に分割し、各群の操作指示が記載されるものである。
【００２２】
操作マニュアルが複数枚の手順書を綴ってなるものであって、操作指示が各手順書に分割して記載されているため、一枚の手順書に記載される操作指示の数が低減し、手順書に記載の操作指示が見やすくなるため、一部の操作指示を見落とすなどの事故を未然に防止することができる。また、各手順書には、中央に操作の対象となる装置の系統図が示されているため、手順書に記載の操作指示を具体的に想起することができ、操作指示に従った操作を誤る危険性が低下する。
【００２３】
操作指示を複数枚の手順書に、分割して記載するにあたって、操作指示の分割は、各操作の機能に即して行われることが好ましい。即ち、各操作を行うに当たって、一の操作と他の操作との間に、強い関連性がある場合があり、一の操作と他の操作を、ほぼ同時に行わなければならない場合がある。具体例を挙げれば、ポンプの昇圧の操作と、当該ポンプに関連する電磁弁の開弁の操作において、ポンプを昇圧した後、電磁弁を開弁するまで、長い時間を要するとすれば、ポンプの昇圧後、ポンプに大きな負荷がかかってしまい、ポンプを損傷する危険性がある。このため、これらの操作は、一時に行われなければならないが、一時に行われるべき操作を、異なる手順書に記載した場合、異なる手順書を参照することによって、各操作を行うまでに時間がかかってしまう場合がある。このため、手順書に記載されるべき各操作指示の分割にあたっては、このような一時に行われるべき操作が同一の手順書に記載されるように分割することが好ましい。
【００２４】
また、手順書に系統図や操作指示を記載するに当たっては、系統図中の各構成要素と各操作指示との関連性などを表示することが好ましい。即ち、本実施形態に係る発電プラントの操作マニュアルにおいては、手順書において、操作指示を系統図の周辺に配置し、操作指示の対象となる系統図の構成要素と、対応する操作指示とを引き出し線を用いて連結するものである。
【００２５】
これによれば、操作指示の対象となる系統図の構成要素と、対応する操作指示とを引き出し線を用いて連結しているため、発電プラントにおいて、操作の対象となる機器を、手順書の上で具体的に特定しやすくなり、更に、具体的な操作の想起も容易となるため、誤操作を防止することができる。
【００２６】
また、各手順書において、系統図中の各構成要素と各操作指示との関連性などを表示するにあたっては、操作指示に操作順序を示す番号が付されることが好ましい。番号を付すことにより、上述のように、各手順書において、各操作指示を系統図の構成要素に対応させて配置していたとしても、操作の順序が判らなくなることがなく、手順書を参照する作業員が混乱することを防止できる。
【００２７】
更に、各手順書においては、操作指示の対象となっている系統図中の各構成要素を、強調表示することが好ましい。これにより、各手順書を一見するだけで、操作を行うべき機器を特定することができ、操作の効率を上げることができる。また、各構成要素が強調表示されているため、操作の対象となる機器を誤ることによる誤操作を防止することができる。
【００２８】
（スキップ手段）
本実施形態に係る発電プラントの操作マニュアルにおいては、手順書のうち第一の手順書において表示される一の操作指示に続く操作指示を第二の手順書に表示し、手順書のうち前記第二の手順書の直前に綴られる第三の手順書に、第一の手順書と第三の手順書を同時に捲るための、スキップ手段を備えることもできる。即ち、発電所の操作マニュアルにおいて、各種装置の運転状況に応じて、各種機器に異なる操作を行うことが求められる場合であって、そのような異なる操作の操作指示を一の操作マニュアルに記載すべきときに、いずれの操作を行った後に、いずれの操作指示へとスキップするかが判別困難となる場合がある。上述したスキップ手段は、そのような状況に対処すべく設けられるものである。
【００２９】
スキップ手段を用いる場合、各状況に応じた操作指示は、異なる手順書に記載することが好ましい。また、第一の手順書には、第二の手順書に表示される操作指示の番号や、スキップ手段を実行するための条件などを合わせて記載することが好ましい。
【００３０】
スキップ手段を設けることにより、異なる状況に応じて実行されるべき複雑な操作の操作指示の閲覧が容易となり、参照すべき操作指示を見誤ることによる誤操作を防止することができる。
【００３１】
第三の手順書に備えられるべきスキップ手段としては、特に限定されないが、例えば、図２に示すように、第三の手順書に永久磁石である薄膜２０を付着させ、第一の手順書と第三の手順書とを磁力によって同時に捲る手段を挙げることができる。この際、第一の手順書には、図１に示されるように、永久磁石の位置を示す、スキップ指示手段２１を備えることが好ましい。また、第三の手順書にタグを設け、第一の手順書において、状況に応じてタグにより手順書を捲るべきことを記載しておき、第三の手順書に設けられたタグをつまんで捲ることにより、第一の手順書と第三の手順書とを同時に捲る手段を挙げることもできる。
【００３２】
＜ボイラの強制冷却方法に係る発電プラントの操作マニュアル＞
以下、本実施形態に係る発電プラントの操作マニュアルを、ボイラの強制冷却方法の操作マニュアルを例に挙げて詳細に説明する。
【００３３】
ここで、まず、火力発電設備及びボイラの強制冷却方法について、その概略を説明する。
【００３４】
［火力発電設備の構成］
図４にボイラ１の強制冷却方法が実施される火力発電設備を示す。火力発電設備は、化石燃料を燃焼させ燃焼熱を発生させるボイラ１と、ボイラ１内に設けられ、給水を流通させて加熱するための節炭器２と、ボイラ１内に設けられ、節炭器２を流通させた給水を流通させて加熱するためのボイラ水壁３と、ボイラ１内に設けられ、ボイラ水壁３を流通させた給水を過熱して蒸気を発生させるための一次過熱器４と、海水により蒸気を冷却して復水を生成するための復水器９と、一次過熱器４から復水器９へ給水を流通させるための起動バイパス経路１８と、復水器９から脱気器１３に復水を流通させるための復水管１２と、脱気器１３から節炭器２に給水を流通させるための給水管１６と、ボイラ１に燃焼を補助するための空気を供給する空気供給ファン（図示せず）と、を備える。
【００３５】
また、起動バイパス経路１８について、詳細に説明すると、起動バイパス経路１８は、二次過熱器５、高圧・中圧タービン６、再熱器７、及び低圧タービン８を経由せずに、給水を一次過熱器４から復水器９に流通させる経路であり、起動バイパス系路上には、通常運転時に起動バイパス経路１８への給水の流入を防止するための起動バイパス経路弁１７と、汽水分離を行うためのフラッシュタンク（図示せず）と、を備える。
【００３６】
更に、本実施形態に係る火力発電設備は、一次過熱器４で発生した蒸気を加熱するための二次過熱器５と、二次過熱器５で発生した蒸気の圧力を利用して回転する高圧・中圧タービン６と、高圧・中圧タービン６から排出された蒸気を、ボイラ１で発生する熱により再過熱する再熱器７と、再熱器７で再過熱された蒸気の圧力を利用して回転する低圧タービン８と、復水に混入した空気を除去するための脱気器１３と、低圧タービン８から抽気された抽気蒸気と復水との間での熱交換を行う低圧給水加熱器１１と、高圧・中圧タービン６から抽気された抽気蒸気と復水との間での熱交換を行う高圧給水加熱器１５と、復水を復水管１２に送り出すための復水ポンプ１０と、給水を給水管１６に送り出すための給水ポンプ１４と、を備える。
【００３７】
［ボイラの強制冷却方法］
ボイラ１の強制冷却方法について、具体的に説明すると、ボイラ１の強制冷却方法においては、まず、
ａ）ボイラ１を消火し、
ｂ）起動バイパス経路１８、復水管１２、及び給水管１６、並びに、節炭器２、ボイラ水壁３、及び一次過熱器４に給水を循環させ、
ｃ）空気供給ファンによって、ボイラ１内に空気を供給し、
ｄ）起動バイパス経路１８、復水管１２、及び給水管１６、並びに、節炭器２、ボイラ水壁３、及び一次過熱器４に流通させる給水の流量を、ボイラ１の温度の低下に応じて徐々に増加させ、
ｅ）ボイラ１の温度が所定温度以下となった場合は、空気供給ファンによる空気の供給を停止すると共に、給水の循環も停止するものである。
【００３８】
また、ボイラ１の強制冷却方法を実施した後は、状況に応じて、ｆ）ボイラ１の再起動を行う場合や、ｇ）ボイラ１の運転を完全に休止する場合が考えられる。
【００３９】
［操作マニュアル］
まず、ボイラ１の強制冷却方法に係る発電プラントの操作マニュアルは、工程ａ）から工程ｇ）に対応させて、７枚の手順書を綴ってなることが好ましい。即ち、一枚目の手順書にａ）ボイラ１の消火に係る一連の操作指示を記載し、二枚目の手順書にｂ）給水の循環に係る一連の操作指示を記載し、三枚目の手順書にｃ）ボイラ１内への空気の供給に係る一連の操作指示を記載し、四枚目の手順書にｄ）給水流量の増加に係る一連の操作指示を記載し、五枚目の手順書にｅ）ボイラ１内への空気の供給の停止、及び給水の循環の停止に係る一連の操作指示を記載すると共に、六枚目の手順書にはｆ）ボイラ１を再起動するに先立って行うべき操作に係る一連の操作指示を記載し、七枚目の手順書には、ｇ）ボイラ１の運転を完全に休止する際に行うべき操作に係る一連の操作指示を記載する。
【００４０】
各手順書には、中央に図４に示される発電プラントの系統図を表示すると共に、系統図の周辺に、操作手順を示す番号と共に、各操作指示を記載する。各操作指示と、各操作指示の対象となる発電プラントの機器を示す系統図中の構成要素は、引き出し線などを用いて連結することが好ましい。また、各操作指示に係る、系統図中の各構成要素は強調表示されることが好ましい。
【００４１】
具体的には、例えば、２枚目の手順書には、給水ポンプ１４の起動に係る操作指示が記載されるが、これが一連の操作を通じて４番目に行われる操作である場合には、系統図中、給水ポンプ１４の直下に、「４．給水ポンプの起動」などと記載し、図４に示される系統図中の給水ポンプ１４と当該操作指示とを引き出し線により連結し、図４に示される系統図中の給水ポンプ１４を強調表示する。
【００４２】
次に、工程ｅ）を終了した後、ボイラ１の運転を完全に休止する場合には、五枚目の手順書に記載される最後の手順書の直近に、「ボイラの運転を完全に休止する場合には、７枚目の手順書に記載の操作指示に従う」などと記載すると共に、六枚目の手順書に永久磁石である薄膜２０を設け、五枚目の手順書の所定の部位に、磁石をかざすことにより、五枚目の手順書と六枚目の手順書を同時に捲ることができるようにする。これにより、作業員は、必要のない操作指示に目を通すことなく、必要な操作指示のみを閲覧することができる。
【図面の簡単な説明】
【００４３】
【図１】本実施形態に係る第一の手順書を示す図である。
【図２】本実施形態に係る第三の手順書を示す図である。
【図３】本実施形態に係る第二の手順書を示す図である。
【図４】発電プラントの概略を示す系統図である。
【符号の説明】
【００４４】
１      ボイラ
２      節炭器
３      ボイラ水壁
４      一次過熱器
５      二次過熱器
６      高圧・中圧タービン
７      再熱器
８      低圧タービン
９      復水器
１０    復水ポンプ
１１    低圧給水加熱器
１２    復水管
１３    脱気器
１４    給水ポンプ
１５    高圧給水加熱器
１６    給水管
１７    起動バイパス経路弁
１８    起動バイパス経路
２０    薄膜
２１    スキップ指示手段
【図１】
2009005424.tif 000003
【図２】
2009005424.tif 000004
【図３】
2009005424.tif 000005
【図４】
2009005424.tif 000006